(57)【要約】【課題】簡易な構成にて広い範囲からの送信信号を受信することが可能なリモコン受信装置を提供する。【解決手段】リモコン受信ユニット２５は、遠隔制御を行うための信号光を受光する受光モジュール４０１と、前記信号光を受ける受光面３０１ａを有し、当該受光面３０１ａで受けた信号光を屈折して受光モジュール４０１へ向かわせる導光部材３００とを備える。ここで、導光部材３００には、受光面３０１ａから受光モジュール４０１側に向かって窪む窪み部３０３が形成される。さらに、窪み部３０３は、窪みの中心に向かって傾斜する側面３０３ａを有する。【選択図】図５
2012019298.tif 000002
【特許請求の範囲】
【請求項１】
遠隔制御を行うための光を送信信号として受信するリモコン受信装置において、
前記送信信号を受光する光検出器と、
前記送信信号が入射する入射面を有するとともに当該入射面から入射した前記送信信号を屈折して前記光検出器へ向かわせる誘導部と、を備え、
前記誘導部は、前記入射面から前記光検出器側に向かって先細りとなる界面を有する、ことを特徴とするリモコン受信装置。
【請求項２】
請求項１に記載のリモコン受信装置において、
前記界面は、円錐形状を有し、
前記円錐形状の中心軸上に前記光検出器が配置されている、
ことを特徴とするリモコン受信装置。
【請求項３】
請求項２に記載のリモコン受信装置において、
前記界面は、円錐形状の頂点側が、前記中心軸に垂直な方向に平坦とされた底面を有する、
ことを特徴とするリモコン受信装置。
【請求項４】
請求項１ないし３の何れか一項に記載のリモコン受信装置において、
前記誘導部には、前記入射面から前記光検出器側に向かって窪む凹部が形成され、
前記凹部と、当該凹部内部の媒質との間に前記界面が形成される、
ことを特徴とするリモコン受信装置。
【請求項５】
請求項４に記載のリモコン受信装置において、
前記入射面の前記凹部の位置に開口が形成され、前記凹部が前記開口を介して外部に開放されている、
ことを特徴とするリモコン受信装置。
【請求項６】
請求項１ないし５の何れか一項に記載のリモコン受信装置を備えた投写型表示装置。
【発明の詳細な説明】
【技術分野】
【０００１】
本発明は、遠隔制御のための送信信号を受信するリモコン受信装置に関する。また、本発明は、リモコン受信装置を備えた投写型表示装置に関する。
【背景技術】
【０００２】
従来、液晶プロジェクタ等の投写型表示装置（以下、「プロジェクタ」という）の多くは、リモコン受信装置を備えており、リモコン送信機からの送信信号（たとえば、赤外光線による信号光）によって遠隔操作が可能とされている。
【０００３】
プロジェクタが床面や机上に設置された場合には、装置の前後左右から遠隔操作を受けることが想定される。通常、リモコン受信装置が受信可能な角度範囲は、それほど広くない。よって、広い範囲から送信信号を受信するためには、複数のリモコン受信装置が必要となっていた。
【０００４】
そこで、一つのリモコン受信装置によって広い範囲から送信信号を受信するため、本体キャビネットの受光窓に到達した送信信号を、屈折作用によってリモコン受信装置の受光部へ向かわせる構成が提案されている。この構成では、送信信号を受光部へと導く導光部材と、導光部材の周囲に配され、導光部材の周面から出た送信信号を反射して受光部へ向かわせる反射部材とが配される（たとえば、特許文献１参照）。
【先行技術文献】
【特許文献】
【０００５】
【特許文献１】特開２０１０−６３０３９号公報
【発明の概要】
【発明が解決しようとする課題】
【０００６】
しかしながら、上記の構成では、導光部材とは別に反射部材が必要となるため、その分、コストが掛かり易く、また、構造が複雑になり易い。
【０００７】
本発明は、このような課題に鑑みてなされたものであり、簡易な構成にて広い範囲からの送信信号を受信することが可能なリモコン受信装置、および当該リモコン受信装置を備えることにより円滑な遠隔制御が可能な投写型表示装置を提供することを目的とする。
【課題を解決するための手段】
【０００８】
本発明の第１の態様は、遠隔制御を行うための光を送信信号として受信するリモコン受信装置に関する。本態様に係るリモコン受信装置は、前記送信信号を受光する光検出器と、前記送信信号が入射する入射面を有するとともに当該入射面から入射した前記送信信号を屈折して前記光検出器へ向かわせる誘導部とを備える。ここで、前記誘導部は、前記入射面から前記光検出器側に向かって先細りとなる界面を有する。
【０００９】
本態様に係るリモコン受信装置において、入射面に対する入射角が大きい送信信号は、入射面で屈折された後、界面へと向かう。界面は、先細りとなるように傾斜しているため、界面に入射した送信信号の一部は、界面で反射され、受光部へと導かれる。
【００１０】
よって、本態様に係るリモコン受信装置によれば、入射面での屈折作用のみでは光検出器に導くことができない入射角度からの送信信号を、界面での反射作用によって光検出器へと導くことができ、広範囲からの送信信号の受信が可能となる。
【００１１】
しかも、この効果が、誘導部に界面を設けるのみで実現できるため、受信範囲を広げるための部材を、誘導部とは別に設ける必要がなく、リモコン受信装置の構成が簡素となる。
【００１２】
本態様に係るリモコン受信装置において、前記界面は、円錐形状を有するような構成とされる。この場合、前記円錐形状の中心軸上に前記光検出器が配置される。
【００１３】
このような構成とすれば、３６０度どの方向からの送信信号も界面によって均等に反射させることができ、どの方向からの送信信号に対しても均等にリモコン受信装置の受光感度を高めることができる。
【００１４】
本態様に係るリモコン受信装置において、前記界面は、円錐形状の頂点側が、前記中心軸に垂直な方向に平坦とされた底面を有するよう構成され得る。
【００１５】
このような構成とすれば、入射面に対する入射角度が小さな送信信号を、平坦な底面をそのまま通過させて、光検出器へ導くことができる。よって、入射角度の小さな送信信号の受信効率を極力高めることができる。
【００１６】
本態様に係るリモコン受信装置において、前記誘導部には、前記入射面から前記光検出器側に向かって窪む凹部が形成され、前記凹部と、当該凹部内部の媒質との間に前記界面が形成されるような構成とされ得る。
【００１７】
このような構成とした場合、たとえば、前記入射面の前記凹部の位置に開口が形成され、前記凹部が前記開口を介して外部に開放されているような構成とされ得る。
【００１８】
このような構成とすれば、誘導部に単に凹部と開口を形成するだけでよく、極めて簡易な構成にてリモコン受信装置の受光感度を高めることができる。なお、この場合、凹部内部の媒質は空気となる。
【００１９】
本発明の第２の態様は、投写型表示装置に関する。本態様に係る投写型表示装置は、リモコン受信装置を備える。
【００２０】
この構成によれば、上記第１の態様と同様、リモコン受信装置によって広範囲からの送信信号の受信が可能となるので、遠隔制御を円滑に行うことが可能となる。
【発明の効果】
【００２１】
以上のとおり、本発明によれば、簡易な構成にて広い範囲からの送信信号を受信することが可能なリモコン受信装置、および当該リモコン受信装置を備えることにより円滑な遠隔制御が可能な投写型表示装置を提供することができる。
【００２２】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２３】
【図１】実施の形態に係るプロジェクタの外観構成を示す図（斜視図）である。
【図２】実施の形態に係るプロジェクタの外観構成を示す図（底面図）である。
【図３】実施の形態に係るプロジェクタの内部構造を示す図である。
【図４】実施の形態に係る投写光学ユニットの構成を模式的に示す図である。
【図５】実施の形態に係るリモコン受信ユニットの構成を示す図である。
【図６】実施の形態に係るリモコン受信ユニットによる信号光の受信形態について説明するための図である。
【図７】実施の形態に係るリモコン受信ユニットによる信号光の受信形態について説明するための図である。
【図８】実施の形態の導光部材と窪み部のない導光部材について、発光光束の入射角度αに対する導光率の変化特性をシミュレーションした結果を示す図である。
【図９】変更例に係る導光部材の構成を示す図である。
【発明を実施するための形態】
【００２４】
以下、図面を参照して、本発明の実施の形態について説明する。
【００２５】
図１および図２は、プロジェクタの外観構成を示す図である。図１（ａ）は、前方から見たプロジェクタの斜視図であり、図１（ｂ）は後方から見たプロジェクタの斜視図である。また、図２は、プロジェクタの底面図である。なお、説明の便宜上、図１（ａ）、（ｂ）および図２には、ぞれぞれ、前後左右の方向を示す矢印や上下の方向を示す矢印が描かれている。以下、同様に、他の図面においても、必要に応じて、方向を示す矢印が描かれる。
【００２６】
本実施の形態のプロジェクタは、いわゆる短焦点投写型のプロジェクタである。図１を参照して、プロジェクタは、略直方体形状を有する本体キャビネット１を備えている。本体キャビネット１は、下キャビネット２と、下キャビネット２に上方から被せられる上キャビネット３とで構成されている。
【００２７】
本体キャビネット１の上面には、後方に向けて下る第１傾斜面１ａと、この第１傾斜面１ａに続いて後方に向けて上る第２傾斜面１ｂが形成されている。第２傾斜面１ｂは上斜め前方を向いており、この第２傾斜面１ｂに投写口４が形成されている。投写口４から上斜め前方へ出射された映像光が、プロジェクタの前方に配されたスクリーンに拡大投写される。
【００２８】
また、本体キャビネット１の上面には、ランプ用カバー５が設けられている。本体キャビネット１の上面には、ランプユニットを交換するためのランプ用開口と、ランプユニットを冷却するファンユニットに配されたフィルタを交換するためのフィルタ開口が形成されている。ランプ用カバー５は、これらランプ用開口およびフィルタ用開口を覆うためのカバーである。さらに、本体キャビネット１の上面には、複数の操作キーからなる操作部６が設けられている。
【００２９】
本体キャビネット１の右側面には、端子口部７が形成されている。端子口部７には、ＡＶ端子等の各種の端子を有する端子パネル２３３が配されている。端子パネル２３３は、後述する制御回路ユニットの一部を構成する。プロジェクタには、ＡＶ端子を通じて、映像信号や音声信号などのＡＶ（Audio Visual）信号が入出力される。また、本体キャビネット１の右側面には、端子口部７の上方に、吸気口８が設けられている。吸気口８は多数のスリット状の孔によって構成されており、吸気口８を通じて外気が本体キャビネット１内に取り込まれる。
【００３０】
本体キャビネット１の左側面には、前部に第１排気口９が設けられており、中央部に第２排気口１０が設けられている。これら排気口９、１０は多数のスリット状の孔によって構成されており、これら排気口９、１０を通じて本体キャビネット１内部の空気が機外に排出される。また、本体キャビネット１の後面には、出音口１１が形成されている。出音口１１からは、投写時に映像に対応する音声が出力される。
【００３１】
図２を参照して、本体キャビネット１の底面には、前部中央部に固定脚１２が設けられており、後端部に２つの調整脚１３が設けられている。２つの調整脚１３を上下に伸縮させることにより、本体キャビネット１の前後方向および左右方向の傾きが調整できる。これにより、スクリーンに投写された画像の上下の位置や左右の傾きが調整できる。
【００３２】
本実施の形態のプロジェクタでは、本体キャビネット１の底面が机や床等の設置面に設置される据え置き設置以外に、本体キャビネット１が上下逆さまにされて天井に設置される天吊り設置が可能である。また、本体キャビネット１の前面には、端子パネル２３３や吸気口８が設けられておらず、前面は平坦な面とされている。このため、本実施の形態のプロジェクタでは、本体キャビネット１の前面が設置面に設置される設置形態をとることができる。この場合、設置面自身に画像が投写される。
【００３３】
図３は、プロジェクタの内部構造を示す図である。同図は、前方から見た、上キャビネット３が取り外された状態の斜視図である。なお、便宜上、図３には、光変調ユニット１５および投写光学ユニット１７が点線にて描かれている。また、吸気口８の位置が一点鎖線にて示されている。
【００３４】
図３を参照して、下キャビネット２の前部には、ランプユニット１４と、ランプユニット１４からの光を変調して映像光を生成する光変調ユニット１５とが配されている。
【００３５】
ランプユニット１４は、光源ランプと、光源ランプを保持するランプホルダにより構成されており、上方から着脱できるよう配されている。ランプユニット１４の後方には、ファンユニット１６が配されている。ファンユニット１６は、吸気口８から取り込んだ外気（冷却風）を光源ランプに供給して、光源ランプを冷却する。ランプホルダには、ファンユニット１６からの冷却風を光源ランプへ導くための通風ダクトが設けられている。
【００３６】
光変調ユニット１５は、カラーホイールとＤＭＤ（デジタル・マイクロミラー・デバイス）とを含む。カラーホイールは、光源ランプからの白色光を、赤、緑、青等の各色光に時分割で分離する。ＤＭＤは、カラーホイールから出射された各色光を、映像信号に基づいて変調する。
【００３７】
光変調ユニット１５の後方には、投写光学ユニット１７が配されている。投写光学ユニット１７は、光変調ユニット１５により生成された映像光を拡大し、スクリーン等の被投写面に投写する。
【００３８】
図４は、投写光学ユニット１７の構成を模式的に示す図である。なお、同図には、投写光学ユニット１７に加えて、光変調ユニット１５、制御回路ユニット２３およびノイズフィルタユニット２４が模式的に描かれている。
【００３９】
投写光学ユニット１７は、投写レンズユニット１７１と、反射ミラー１７２と、これら投写レンズユニット１７１および反射ミラー１７２を収容するハウジング１７３により構成されている。投写レンズユニット１７１は、複数のレンズ１７１ａを有している。反射ミラー１７２は、曲面ミラーあるいは自由曲面ミラーである。
【００４０】
図４に示すように、光変調ユニット１５から出射された映像光は、投写レンズユニット１７１の光軸Ｌから本体キャビネット１の上面方向にシフトした位置において、投写レンズユニット１７１に入射する。入射した映像光は、投写レンズユニット１７１によってレンズ作用を受け、反射ミラー１７２に入射する。その後、映像光は、反射ミラー１７２によって広角化され、光線通過窓１７４を介して、被投写面（スクリーン面）へ投写される
。
【００４１】
上記のように、映像光は、投写レンズユニット１７１の光軸Ｌから本体キャビネット１の上面方向にシフトした位置において、投写レンズユニット１７１に入射するため、反射ミラー１７２は、投写レンズユニット１７１の光軸Ｌから本体キャビネット１の底面側にシフトするようにして配置される。ここで、反射ミラー１７２は、投写レンズユニット１７１を構成する各レンズのレンズ面よりも大きな反射面を有するため、投写レンズユニット１７１の光軸Ｌに対する反射ミラー１７２のシフト量は比較的大きなものとなる。このため、投写レンズユニット１７１の下方には、本体キャビネット１（下キャビネット２）の底面との間に、比較的大きな空間Ｇが生じる。この空間Ｇは、投写レンズユニット１７１の配置位置から光変調ユニット１５の配置位置にかけて生じる。
【００４２】
図３に戻り、ファンユニット１６の後方には、電源ユニット１８が配されている。電源ユニット１８は、電源回路を備えており、プロジェクタの各電装部品に電源の供給を行う。電源ユニット１８の後方には、スピーカー１９が配されている。スピーカー１９から出力された音声は、出音口１１より外部に放出される。
【００４３】
光変調ユニット１５の右方には、ＤＭＤ用冷却ファン２０が配されている。ＤＭＤ用冷却ファン２０は、ＤＭＤを冷却するために、吸気口８から取り込んだ外気を光変調ユニット１５に供給する。なお、ＤＭＤは光変調ユニット１５内に密閉状態で配置されており、ＤＭＤが、送風された外気に直接触れることはない。
【００４４】
ランプユニット１４の左方には、第１排気ユニット２１が設けられている。第１排気ユニット２１は、光源ランプを冷却した後の冷却風を、第１排気口９を通じて外部に排出する。なお、ＤＭＤを冷却した空気も、第１排気ユニット２１よって、第１排気口９から外部に排出される。
【００４５】
電源ユニット１８の左方には、第２排気ユニット２２が設けられている。第２排気ユニット２２は、電源ユニット１８内の温まった空気を、第２排気口１０を通じて外部に排出する。電源ユニット１８内から第２排気ユニット２２へ空気が流れることにより、新たな外気が吸気口８から取り込まれて電源ユニット１８内へ供給される。
【００４６】
図３および図４に示すように、本実施の形態のプロジェクタでは、投写レンズユニット１７１と光変調ユニット１５の下方に生じた上記空間Ｇに、制御回路ユニット２３およびノイズフィルタユニット２４が配されている。
【００４７】
ノイズフィルタユニット２４は、ノイズフィルタやヒューズが配された回路基板を備えており、入力された商用交流電源からノイズを除去して電源ユニット１８に供給する。
【００４８】
制御回路ユニット２３は、制御回路基板２３１と、制御回路基板２３１を保持するホルダ２３２と、端子パネル２３３と、端子パネル２３３を固定するための固定板２３４とを含む。
【００４９】
制御回路基板２３１には、光源ランプやＤＭＤなどの各種駆動部品を制御するための制御回路が配されている。また、制御回路基板２３１には、各種端子２３５が配されている。
【００５０】
端子パネル２３３には、各種端子２３５の形状に合わせた開口が形成されており、これら開口を通じて、各種端子２３５が外部に臨む。なお、図示されていないが、固定板２３４にも、各種端子２３５が通る開口が形成されている。
【００５１】
固定板２３４は、金属材料で形成されており、その上部には、シールド部２３６が形成されている。シールド部２３６には、多数の開口２３６ａが形成されており、各開口２３６ａには、金網（図示せず）が装着されている。シールド部２３６は、吸気口８の内側に配され、吸気口８から外部に漏れようとする電磁波を遮蔽する。吸気口８から取り込まれた外気は、開口２３６ａを通って本体キャビネット１内部に流入する。
【００５２】
図１に示すように、本体キャビネット１（上キャビネット３）の上面後部であって、操作部６の左方には、リモコン受信ユニット２５が配されている。リモコン受信ユニット２５は、図示しないリモコン送信機から送られてくる赤外光線による信号光（送信信号）を受信して、これに応じた信号を制御回路基板２３１へ出力する。ユーザは、リモコン送信機を操作することにより、プロジェクタの遠隔制御を行うことができる。
【００５３】
図５は、リモコン受信ユニット２５の構成を示す図である。図５（ａ）、（ｂ）は、リモコン受信ユニット２５の配置部分を拡大した上キャビネット３の上面図および後ろから見た側面図である。また図５（ｃ）は、図５（ａ）のＡ―Ａ´断面図である。
【００５４】
図５を参照して、リモコン受信ユニット２５は、導光部材３００と、リモコン受信回路部４００とを備えている。
【００５５】
導光部材３００は、アクリル樹脂など、屈折率が高い材料により形成されており、上キャビネット３に形成された受光窓３ａに配されている。導光部材３００は、受光窓３ａに到達した信号光をリモコン受信回路部４００へ導く。
【００５６】
導光部材３００は、受光窓３ａから上方に突出する受光部３０１を備えている。受光部３０１は、ほぼ円盤形状を有し、その表面、即ち受光面３０１ａがほぼ球面形状に形成されている。
【００５７】
受光部３０１の裏面には、略円柱形状の導光部３０２がリモコン受信回路部４００側に突出するように形成されている。導光部３０２の下端面３０２ａは、凹曲面形状を有している。
【００５８】
導光部材３００には、受光面３０１ａの中央に窪み部３０３が形成されている。窪み部３０３は、先端部が水平に切断された円錐形状を有しており、受光面３０１ａから導光部３０２の下部に亘って形成されている。窪み部３０３の側面（周面）３０３ａは、窪みの中心に向かって傾斜しており、先細りとなっている。また、窪み部３０３の底面３０３ｂは導光部材３００の中心軸Ｐに垂直な平坦面とされている。なお、導光部材３００の中心軸Ｐは、上キャビネット３の上面に対し垂直となっている。また、窪み部３０３の中心軸は、導光部材３００の中心軸Ｐに一致している。
【００５９】
受光部３０１の外周部からは、リモコン受信回路部４００側に向けて、導光部３０２の周囲を囲むように、円筒状部３０４が形成されている。また、円筒状部３０４の下端には、フランジ部３０５が形成されている。導光部材３００が、受光窓３ａに配されると、円筒状部３０４が受光窓３ａの内周面に当接し、フランジ部３０５が、上キャビネット３の裏面に当接する。
【００６０】
なお、導光部材３００において、受光部３０１と導光部３０２とで構成される部分が、本発明の誘導部に相当する。
【００６１】
リモコン受信回路部４００は、受光モジュール４０１と、受光モジュール４０１が実装
される基板４０２により構成されている。受光モジュール４０１は、受光素子を有し、入射した信号光に基づく電気信号を出力する。受光モジュール４０１には、球面形状の受光面４０１ａが設けられている。受光モジュール４０１は、受光面４０１ａに垂直な方向に対して所定の受信有効角度（たとえば、±３０度）を有し、受信有効角度を超える角度からの信号光に対しては受光効率が大きく低下する。基板４０２には、受光モジュール４０１の他、その周辺回路部品（図示せず）が実装されている。
【００６２】
リモコン受信回路部４００は、受光モジュール４０１が導光部材３００の導光部３０２と所定の間隔をおいて対向するよう、本体キャビネット１内に配される。たとえば、上キャビネット３の裏面には、図示しない取付ボスが形成され、基板４０２が取付ボスにネジ止めされる。このとき、受光モジュール４０１の受光面４０１ａの中心が、導光部材３００の中心軸Ｐに一致する。
【００６３】
次に、リモコン受信ユニット２５による信号光の受信形態について、図６および図７を参照して説明する。
【００６４】
リモコン受信ユニット２５は、本体キャビネット１の上面に配されているため、プロジェクタが据え置き設置された場合、リモコン受信ユニット２５には、プロジェクタの前後左右方向から信号光が入射され得る。プロジェクタが低い位置に設置されていたり、ユーザの位置がプロジェクタに近いかったりする場合には、プロジェクタに対して比較的高い位置から信号光が発信され得る。この場合、受光モジュール４０１の受光面４０１ａに垂直な方向、即ち中心軸Ｐに対する信号光の入射角度αは、図６（ａ）に示すように、比較的小さなものとなる。
【００６５】
入射角度αが比較的小さい場合、受光部３０１に入射した信号光（光束）のうち、受光面３０１ａに入射し、かつ、図６（ａ）の太矢印に示すように、受光面３０１ａによって中心軸Ｐに対する角度が小さくなる方向に屈折した信号光は、導光部３０２内を受光モジュール４０１へ向かうように伝搬する。そして、導光部３０２の下端面３０２ａから出て、受光モジュール４０１により受光される。一方、窪み部３０３に入射した信号光は、受光面３０１ａでの屈折作用を受けられず、入射角度αによっては、図６（ａ）の細矢印で示すように、受光モジュール４０１に向かわずに、導光部材３００から放出される。
【００６６】
次に、プロジェクタが高い位置に設置されていたり、ユーザの位置がプロジェクタから遠かったりする場合には、プロジェクタに対して比較的低い位置から信号光が発信され得る。この場合、中心軸Ｐに対する信号光の入射角度αは比較的大きなものとなる。
【００６７】
入射角度αが比較的大きな場合、受光部３０１に入射した信号光（光束）のうち、受光面３０１ａに入射し、かつ、上記同様、受光面３０１ａによって中心軸Ｐに対する角度が小さくなる方向に屈折した信号光は、図６（ｂ）の太矢印に示すように、受光モジュール４０１に向かうまで方向が変えられない。このため、信号光は、導光部３０２内を受光モジュール４０１に向かうように伝搬されず、窪み部３０３側へと向かい、窪み部３０３の側面３０３ａに浅い角度で当たる。
【００６８】
窪み部３０３の側面３０３ａは、導光部３０２と空気層との界面であり、導光部３０２の屈折率と空気の屈折率は異なる。このため、側面３０３ａに当たった信号光の多くは、側面３０３ａによって反射され、反射前よりも下方に向いて進む。そして、信号光は、導光部３０２の側面（周面）に浅い角度で当たり、その多くが反射されて受光モジュール４０１側へと向かい、導光部３０２の下端面３０２ａから出て、受光モジュール４０１に受光される。なお、窪み部３０３の側面３０３ａに対して光が非常に浅く入射した場合には、反射後の信号光が導光部３０２の側面側ではなく、直接、受光モジュール４０１に向か
い得る。
【００６９】
なお、本実施の形態と異なり、導光部材３００に窪み部３０３が形成されていない場合には、受光モジュール４０１へ向かわない信号光は、図６（ｂ）の破線矢印に示すように、導光部３０２の側面（周面）に比較的深い角度で当たるため、その多くがそのまま外部に漏れ出してしまい、受光モジュール４０１に受光されることがなくなってしまう。
【００７０】
一方、受光部３０１に入射した信号光（光束）のうち、窪み部３０３に入射した光は、入射角度αが大きい場合と同様、図６（ｂ）の細矢印で示すように、受光モジュール４０１に向かわずに、導光部材３００から放出される。
【００７１】
なお、上記のように、入射角度αが大きい場合も小さい場合も、受光部３０１に入射した信号光の全てが受光モジュール４０１に向かうわけではないが、本実施の形態では、図６（ａ）、（ｂ）の太矢印のごとく受光モジュール４０１に入射した信号光の量（受光量）によって遠隔制御が可能となるように、受光モジュール４０１の感度が設定されている。
【００７２】
次に、図７に示すように、プロジェクタのほぼ真上から信号光が送信され、信号光が中心軸Ｐにほぼ平行に受光部３０１に入射する場合、信号光（光束）のうち、受光面３０１ａに入射した信号光は、導光部３０２を伝播して受光モジュール４０１向かう。
【００７３】
一方、窪み部３０３に入射した信号光の一部には、図７の細矢印に示すように、窪み部３０３の側面３０３ａに当たり、側面３０３ａで屈折して受光モジュール４０１へと向かわないものも生じ得る。しかし、窪み部３０３には、平坦な底面３０３ｂが形成されているため、中心軸Ｐに近い信号光は、図７の太矢印に示すように、底面３０３ｂに入射し、導光部３０２をそのまま通過して受光モジュール４０１に受光される。よって、導光部材３００に窪み部３０３が設けられた場合であっても、リモコン受信ユニット２５の正面に近い位置から信号光が送信されてきた場合に、受光モジュール４０１での受光効率を極力高めることができる。
【００７４】
なお、図７の破線で示すように、窪み部３０３に平坦な底面３０３ｂがない場合には、中心軸Ｐに近い信号光も、図７の破線矢印に示すように、側面３０３ａの屈折作用を受け得るため、受光モジュール４０１に受光されないことも生じ得る。
【００７５】
以上の説明した通り、本実施の形態によれば、受光部３０１の受光面３０１ａでの屈折作用のみでは受光モジュール４０１に導くことができない入射角度αからの信号光を、窪み部３０３の側面３０３ａでの反射作用によって受光モジュール４０１へと導くことができる。よって、リモコン受信ユニット２５において、広範囲からの送信信号の受信が可能となる。また、導光部材３００の正面（プロジェクタの上面）に対して横方向から送られてくる送信信号の受信距離を長くできる。したがって、遠隔制御を円滑に行うことが可能となる。
【００７６】
しかも、導光部材３００に窪み部３０３を形成するだけであり、受信範囲を広げるための部材を、導光部材３００と別に設ける必要がない。よって、リモコン受信ユニット２５を簡易な構成とすることができ、コストの上昇等を抑えることができる。
【００７７】
さらに、窪み部３０３(側面３０３ａ)は、円錐形状を有するような構成とされているので、３６０度どの方向からの送信信号も界面によって均等に反射させることができる。よって、どの方向からの送信信号に対しても均等にリモコン受信ユニット２５の受光感度を高めることができる。
【００７８】
図８は、本実施の形態の導光部材と窪み部のない導光部材について、発光光束の入射角度αに対する導光率の変化特性をシミュレーションした結果を示す図である。図８（ａ）はシミュレーション結果のグラフを示す。縦軸は導光率を示し、横軸は入射角度αを示す。図８（ｂ）、（ｃ）は、シミュレーションに用いた導光部材を示す。図８（ｂ）は、本実施の形態と同じ構成の導光部材（Ｓａｍｐｌｅ１）を示し、図８（ｃ）は窪み部３０３がない導光部材（Ｓａｍｐｌｅ２）を示す。なお、図８（ｂ）、（ｃ）の導光部材では、導光に寄与しない円筒状部３０４およびフランジ部３０５が省略されている。
【００７９】
本シミュレーションでは、発光光束の受光面での受光量に対する出射面での出射量の百分率を導光率としている。また、発光光束の光束密度は一定とされており、入射角度αの可変範囲は、０°から９０°とされている。
【００８０】
図８（ａ）のグラフからも明らかなように、窪み部３０３がない導光部材（Ｓａｍｐｌｅ２）では、入射角度αが比較的小さなうちは、受光面での屈折作用により、光束の多くが出射面に到達するため、導光率は高くなる。しかし、入射角度αが、屈折作用だけでは光束を出射面へ向わすことができない角度を越えると、極端に導光率が低下し、ゼロに近くなる。
【００８１】
一方、本実施の形態と同じ構成である、窪み部３０３を備える導光部材（Ｓａｍｐｌｅ１）では、上述のように、屈折作用だけでは出射面に向かわない光束を、窪み部３０３の側面３０３ａでの反射作用によって出射面へと向かわすことが可能となる（図６（ｂ）参照）。よって、入射角度αが小さい範囲では、窪み部３０３のない導光部材よりやや導光率が低くなるが、角度が大きくなっても、極端に導光率が低下することがなく、ある程度の導光率を維持することが可能となる。
【００８２】
以上のシミュレーション結果からも明らかなように、本実施の形態の導光部材３００を用いれば、リモコン受信ユニット２５において、広範囲からの送信信号の受信が可能となる。
【００８３】
以上、本実施の形態について説明したが、本発明は、上記実施の形態に何ら限定されるものではなく、また、本発明の実施形態も、上記以外に種々の変更が可能である。
【００８４】
たとえば、上記実施の形態では、界面となる窪み部３０３の側面３０３ａが円錐形状とされている。しかしながら、側面３０３ａは、先細り形状とされ、傾斜していれば、必ずしも円錐形状でなくて良い。たとえば、図９（ａ）に示すように、側面３０３ａが、窪み部３０３の中心軸に向かって膨らむ曲面形状とされても良い。
【００８５】
また、上記実施の形態では、窪み部３０３は、上面が開口するとともに中空とされており、導光部３０２と空気層との間に界面が形成されている。しかしながら、これに限らず、図９（ｂ）に示すように、導光部３０２とは異なる屈折率を有する充填部材３０６が、窪み部３０３に充填されるような構成とされても良い。充填部材３０６は、窪み部３０３の形状に合わせて形成され、その上面が受光面３０１ａと同様な曲面形状を有する。このように、充填部材３０６を設ければ、窪み部３０３に埃等が溜まることがなくなる。
【００８６】
なお、充填部材３０６は、空気よりも導光部３０２との屈折率の差が大きくなる材質とされることが望ましい。このようにすれば、界面での反射率を高めることができ、受光モジュール４０１での受光効率をさらに高めることができる。
【００８７】
また、上記実施の形態では、窪み部３０３に平坦な底面３０３ｂが形成されている。し
かしながら、プロジェクタのほぼ真上から（導光部材３００の中心軸Ｐにほぼ平行に）導光部材３００に入射する信号光が、十分に受光モジュール４０１に受光される場合には、必ずしも底面３０３ｂが形成されなくとても良い。
【００８８】
さらに、上記実施の形態では、受光面３０１ａがほぼ球面状に形成されているが、これに限らず、平坦面とされても良い。ただし、上記入射角度αが大きな場合に、受光面３０１ａでの信号光の反射を抑制して導光部材３００内部に取り込みやすくするためには、受光面３０１ａをほぼ球面形状等、ほぼ曲面形状とすることが望ましい。
【００８９】
さらに、本発明のリモコン受信装置をプロジェクタに適用した実施形態について説明したが、これに限らず、本発明のリモコン受信装置を他の電気機器に適用することもできる。
【００９０】
この他、本発明の実施の形態は、特許請求の範囲に示された技術的思想の範囲内において、適宜、種々の変更が可能である。
【符号の説明】
【００９１】
２５  リモコン受信ユニット（リモコン受信装置）
３００  導光部材
３０１  受光部（誘導部）
３０１ａ  受光面（入射面）
３０２  導光部（誘導部）
３０３  窪み部（凹部）
３０３ａ  側面（界面）
３０３ｂ  底面
４００  リモコン受信回路部
４０１  受光モジュール（光検出器）
【図１】
2012019298.tif 000003
【図２】
2012019298.tif 000004
【図３】
2012019298.tif 000005
【図４】
2012019298.tif 000006
【図５】
2012019298.tif 000007
【図６】
2012019298.tif 000008
【図７】
2012019298.tif 000009
【図８】
2012019298.tif 000010
【図９】
2012019298.tif 000011